(57)【要約】【課題】脱臭効率が高く、空気に含まれる臭気を確実に取り除くことができる脱臭装置を提供する。【解決手段】脱臭装置１０Ａは、上下方向へ延びる周壁１５および頂部開口１７を有するケース１１と、ケース１１の下端部１８に設置されて下端部１８から頂部開口１７へ向かって空気を流通させる送風ファン１３と、空気が通流可能な上下方向へ延びる複数の空気流路を有してファン１３の直上におけるケース１１の内側に着脱可能に設置された脱臭カートリッジ１４と、ケース１１の下端部１８に延びる周壁に形成されてケース１１の内側に空気を取り入れる貫通孔２２とを有する。ファン１３によって貫通孔２２からケース１１の内側に取り入れられた空気は、カートリッジ１４の空気流路を通って頂部開口１７からケース１１の外側へ流出する。【選択図】図１
2012055532.tif 000002
【特許請求の範囲】
【請求項１】
上下方向へ延びる周壁および頂部開口を有する収納ケースと、前記収納ケースの下端部に設置されて該下端部から前記頂部開口へ向かって空気を流通させる送風ファンと、空気が通流可能な上下方向へ延びる複数の空気流路を有して前記送風ファンの直上における前記収納ケースの内側に着脱可能に設置された脱臭カートリッジと、前記収納ケースの下端部に延びる周壁に形成されて該ケースの内側に空気を取り入れる貫通孔とを有することを特徴とする脱臭装置。
【請求項２】
前記脱臭カートリッジが、臭気を吸着する炭から作られて空気が通流可能な上下方向へ延びる空気流路を有する複数の筒材が隣接する筒材集合物であり、前記送風ファンによって前記貫通孔から前記収納ケースの内側に取り入れられた空気が、前記筒材集合物を形成するそれら筒材の空気流路を通って前記頂部開口から前記ケースの外側へ流出する請求項１記載の脱臭装置。
【請求項３】
前記筒材の空気流路の上下方向の長さが、３〜１５ｃｍの範囲にある請求項２記載の脱臭装置。
【請求項４】
前記筒材集合物の上端および下端の面積が、９〜１００ｃｍ２の範囲にある請求項２または請求項３に記載の脱臭装置。
【請求項５】
前記筒材集合物の１ｃｍ２当たりにおける前記筒材の空気流路の数が、３０〜５０の範囲にある請求項２ないし請求項４いずれかに記載の脱臭装置。
【請求項６】
前記収納ケースの周り方向へ開口するスリットが、前記脱臭カートリッジの上方であって前記収納ケースの上端部に延びる周壁に形成され、所定の芳香を放散する芳香シートが、前記スリットから前記ケースの内側に挿脱可能に挿入される請求項１ないし請求項５いずれかに記載の脱臭装置。
【請求項７】
前記脱臭装置が、前記収納ケースの下端部につながる台座を含み、前記送風ファンに電気を供給する電池が、前記台座に着脱可能に収納される請求項１ないし請求項６いずれかに記載の脱臭装置。
【請求項８】
前記脱臭装置が、前記収納ケースの下端部につながる台座を含み、前記送風ファンに電気を供給するフレキシブルソーラーパネルが、前記台座の外周面に設置されている請求項１ないし請求項６いずれかに記載の脱臭装置。
【請求項９】
前記送風ファンの回転数を可変する回転数可変回路が、前記台座に設置されている請求項７または請求項８に記載の脱臭装置。
【請求項１０】
前記送風ファンの回転速度が、６０〜４８０ｒ／ｍｉｎの範囲にあり、前記筒材の空気流路を流れる空気の流速が、０．０１〜０．１ｍ３／ｓｅｃの範囲にある請求項１ないし請求項９いずれかに記載の脱臭装置。
【発明の詳細な説明】
【技術分野】
【０００１】
本発明は、空気に含まれる臭気を取り除く脱臭装置に関する。
【背景技術】
【０００２】
垂直に配置された円筒形の容器と、容器の下部に形成された有臭ガス流入筒と、容器の上部に形成された無臭ガス流出筒と、容器の中間部に形成されてガスが流通可能な開口を有する支持部材と、支持部材の上に載せられた比較的多量の活性炭とを有する吸着材循環型脱臭装置がある（特許文献１参照）。この脱臭装置の稼動時には、送風機を利用して有臭ガス流入筒から有臭ガスを装置内に流入させ、その有臭ガスが粒状の活性炭を舞上げつつ自重によって落下することを繰り返すことにより、活性炭に有臭ガスの臭気を吸着させることができ、有臭ガスから臭気を取り去った無臭ガスを作ることができる。
【先行技術文献】
【特許文献】
【０００３】
【特許文献１】特開２００９−２９１５４９号公報
【発明の概要】
【発明が解決しようとする課題】
【０００４】
前記特許公報に開示の吸着材循環型脱臭装置は、粒状の活性炭を舞上げる程度の流速で有臭ガスが脱臭装置内を通流するから、有臭ガスの活性炭に対する接触時間がきわめて短く、有臭ガスに含まれる臭気を活性炭に十分に吸着させることができず、有臭ガスから臭気の全てを取り去ることが難しい。また、吸着材循環型脱臭装置は、有臭ガスが容器内を一様に流動することがないから、活性炭を載せた支持部材全域に有臭ガスを満遍なく通流させることが難しく、全ての活性炭に満遍なく有臭ガスを接触させることができず、活性炭の全てを臭気の吸着に利用することができない。この吸着材循環型脱臭装置は、活性炭の臭気吸着機能を十分に利用することができず、脱臭効率が低い。
【０００５】
本発明の目的は、脱臭効率が高く、空気に含まれる臭気を確実に取り除くことができる脱臭装置を提供することにある。
【課題を解決するための手段】
【０００６】
前記課題を解決するための本発明の特徴は、上下方向へ延びる周壁および頂部開口を有する収納ケースと、収納ケースの下端部に設置されて下端部から頂部開口へ向かって空気を流通させる送風ファンと、空気が通流可能な上下方向へ延びる複数の空気流路を有して送風ファンの直上における収納ケースの内側に着脱可能に設置された脱臭カートリッジと、収納ケースの下端部に延びる周壁に形成されてケースの内側に空気を取り入れる貫通孔とを有することにある。
【０００７】
本発明の一例としては、脱臭カートリッジが臭気を吸着する炭から作られて空気が通流可能な上下方向へ延びる空気流路を有する複数の筒材が隣接する筒材集合物であり、送風ファンによって貫通孔から収納ケースの内側に取り入れられた空気が筒材集合物を形成するそれら筒材の空気流路を通って頂部開口からケースの外側へ流出する。
【０００８】
本発明の他の一例としては、筒材の空気流路の上下方向の長さが３〜１５ｃｍの範囲にある。
【０００９】
本発明の他の一例としては、筒材集合物の上端および下端の面積が９〜１００ｃｍ２の範囲にある。
【００１０】
本発明の他の一例としては、筒材集合物の１ｃｍ２当たりにおける筒材の空気流路の数が３０〜５０の範囲にある。
【００１１】
本発明の他の一例としては、収納ケースの周り方向へ開口するスリットが脱臭カートリッジの上方であって収納ケースの上端部に延びる周壁に形成され、所定の芳香を放散する芳香シートがスリットからケースの内側に挿脱可能に挿入される。
【００１２】
本発明の他の一例としては、脱臭装置が収納ケースの下端部につながる台座を含み、送風ファンに電気を供給する電池が台座に着脱可能に収納される。
【００１３】
本発明の他の一例としては、脱臭装置が収納ケースの下端部につながる台座を含み、送風ファンに電気を供給するフレキシブルソーラーパネルが台座の外周面に設置されている。
【００１４】
本発明の他の一例としては、送風ファンの回転数を可変する回転数可変回路が台座に設置されている。
【００１５】
本発明の他の一例としては、送風ファンの回転速度が６０〜４８０ｒ／ｍｉｎの範囲にあり、筒材の空気流路を流れる空気の流速が０．０１〜０．１ｍ３／ｓｅｃの範囲にある。
【発明の効果】
【００１６】
本発明にかかる脱臭装置によれば、送風ファンによって貫通孔からケースの内側に取り入れられた空気が脱臭カートリッジの下端から上端に向かって上下方向へ延びるそれら空気流路を通るから、空気に含まれる臭気が脱臭カートリッジにおいて確実に取り除かれ、清浄な空気を作ることができ、清浄な空気をケースの頂部開口から外側に送気することができる。脱臭装置は、脱臭カートリッジが送風ファンの直上に位置することで、貫通孔からケースの内側に取り入れられた空気を脱臭カートリッジのそれら空気流路の全てに満遍なく通流させることができるから、脱臭カートリッジの脱臭機能を最大限に利用することができ、装置における脱臭効率を向上させることができる。
【００１７】
脱臭カートリッジが臭気を吸着する炭から作られて上下方向へ延びる空気流路を有する複数の筒材が隣接する筒材集合物であり、送風ファンによって貫通孔からケースの内側に取り入れられた空気が筒材集合物を形成するそれら筒材の空気流路を通って頂部開口からケースの外側へ流出する脱臭装置は、炭から作られた筒材の空気流路に空気を通流させることで、空気を筒材の内周面に確実に接触させることができるから、空気に含まれる臭気を筒材集合物に十分に吸着させることができ、空気に含まれる臭気を確実に取り除くことができる。脱臭装置は、空気に含まれる臭気を筒材集合物において確実に取り除くことができるから、清浄な空気を作ることができ、清浄な空気をケースの頂部開口から外側に送気することができる。脱臭装置は、筒材集合物が送風ファンの直上に位置することで、貫通孔からケースの内側に取り入れられた空気を筒材集合物を形成するそれら筒材の空気流路の全てに満遍なく通流させることができるから、筒材集合物の脱臭機能を最大限に利用することができ、装置における脱臭効率を向上させることができる。
【００１８】
筒材の空気流路の上下方向の長さが３〜１０ｃｍの範囲にある脱臭装置は、筒材の空気流路の上下方向の長さを前記範囲にすることで、筒材の内周面に対する空気の接触時間を長くすることができるから、空気に含まれる臭気を筒材集合物に十分に吸着させることができ、空気に含まれる臭気を確実に取り除くことができる。脱臭装置は、空気に含まれる臭気を筒材集合物において確実に取り除くことができるから、清浄な空気を作ることができ、清浄な空気をケースの頂部開口から外側に送気することができる。
【００１９】
筒材集合物の上端および下端の面積が９〜１００ｃｍ２の範囲にある脱臭装置は、筒材集合物の上下端の面積が前記範囲にあるから、空気を多くの筒材の内周面に接触されることができ、空気に含まれる臭気を筒材集合物に十分に吸着させることができるとともに、空気に含まれる臭気を確実に取り除くことができる。脱臭装置は、空気に含まれる臭気を筒材集合物において確実に取り除くことができるから、清浄な空気を作ることができ、清浄な空気をケースの頂部開口から外側に送気することができる。
【００２０】
筒材集合物の１ｃｍ２当たりにおける筒材の空気流路の数が３０〜５０の範囲にある脱臭装置は、筒材集合物の１ｃｍ２当たりにおける筒材の空気流路の数が前記範囲にあり、炭から作られた多くの筒材の空気流路に空気を通流させることで、空気を多くの筒材の内周面に接触させることができるから、空気に含まれる臭気を筒材集合物に十分に吸着させることができ、空気に含まれる臭気を確実に取り除くことができる。脱臭装置は、空気に含まれる臭気を筒材集合物において確実に取り除くことができるから、清浄な空気を作ることができ、清浄な空気をケースの頂部開口から外側に送気することができる。
【００２１】
収納ケースの周り方向へ開口するスリットが脱臭カートリッジの上方であってケースの上端部に延びる周壁に形成され、所定の芳香を放散する芳香シートがスリットからケースの内側に挿脱可能に挿入される脱臭装置は、脱臭カートリッジによって清浄された空気に芳香シートによって芳香が付与されるから、空気に含まれる臭気を除去しつつ、よい香りの空気をケースの頂部開口から外側に送気することができる。脱臭装置は、清浄された空気が芳香として送気されるから、芳香療法に利用することができる。
【００２２】
ケースの下端部に連接された台座を含み、送風ファンに電気を供給する電池が台座に着脱可能に収納される脱臭装置は、電池を利用して送風ファンを駆動させることにより、貫通孔からケースの内側に取り入れられた空気を脱臭カートリッジのそれら空気流路に通流させることができ、空気に含まれる臭気が脱臭カートリッジにおいて確実に取り除かれ、清浄な空気を作ることができ、清浄な空気をケースの頂部開口から外側に送気することができる。
【００２３】
ケースの下端部につながる台座を含み、送風ファンに電気を供給するフレキシブルソーラーパネルが台座の外周面に設置されている脱臭装置は、フレキシブルソーラーパネルを利用して送風ファンを駆動させることにより、貫通孔からケースの内側に取り入れられた空気を脱臭カートリッジのそれら空気流路に通流させることができ、空気に含まれる臭気が脱臭カートリッジにおいて確実に取り除かれ、清浄な空気を作ることができ、清浄な空気をケースの頂部開口から外側に送気することができる。脱臭装置は、ソーラーパネルの発電機能を利用して送風ファンを駆動させるから、光エネルギーのみを利用した省エネルギータイプの脱臭装置にすることができ、省エネを図ることができるとともに、環境に負荷をかけることもない。
【００２４】
送風ファンの回転数を可変する回転数可変回路が台座に設置されている脱臭装置は、回転数可変回路を利用して送風ファンの回転数を変えることで、脱臭カートリッジのそれら空気流路に通流させる空気の流速を変えることができ、空気の流速を脱臭カートリッジの脱臭機能を最大限に発揮させる流速に設定することができる。脱臭装置は、脱臭カートリッジの脱臭機能を最大限に利用することができるから、空気に含まれる臭気が脱臭カートリッジにおいて確実に取り除かれ、清浄な空気を作ることができ、清浄な空気をケースの頂部開口から外側に送気することができる。
【００２５】
送風ファンの回転速度が６０〜４８０ｒ／ｍｉｎの範囲にあり、筒材の空気流路を流れる空気の流速が０．０１〜０．１ｍ３／ｓｅｃの範囲にある脱臭装置は、送風ファンをゆっくりと回転させ、流速を前記範囲にすることで、脱臭カートリッジに対する空気の接触時間を長くすることができるから、空気に含まれる臭気を脱臭カートリッジに十分に吸着させることができ、空気に含まれる臭気を確実に取り除くことができる。
【図面の簡単な説明】
【００２６】
【図１】一例として示す脱臭装置の斜視図。
【図２】脱臭カートリッジを取り外した状態で示す脱臭装置の上面図。
【図３】脱臭カートリッジを設置した状態で示す脱臭装置の上面図。
【図４】脱臭カートリッジの斜視図。
【図５】他の一例として示す脱臭装置の斜視図。
【図６】芳香シートを取り外した状態で示す図５の脱臭装置の上面図。
【図７】芳香シートを設置した状態で示す図５の脱臭装置の上面図。
【発明を実施するための形態】
【００２７】
一例として示す脱臭装置の斜視図である図１等の添付の図面を参照し、本発明にかかる脱臭装置の詳細を説明すると、以下のとおりである。なお、図２は、脱臭カートリッジ１４を取り外した状態で示す脱臭装置１０Ａの上面図であり、図３は、脱臭カートリッジ１４を設置した状態で示す脱臭装置１０Ａの上面図である。図４は、脱臭カートリッジ１４の斜視図である。図１では、上下方向を矢印Ａで示し、図２では、径方向を矢印Ｂで示し、周り方向を矢印Ｃで示す。
【００２８】
脱臭装置１０Ａは、ケース１１および台座１２と、送風ファン１３（ＤＣモータ付きプロペラファン）および脱臭カートリッジ１４とから形成されている。脱臭装置１０Ａは、テーブルや机等に載置して使用する卓上型である。ケース１１は、透明な合成樹脂から作られ、円筒型に成型されている。ケース１１は、上下方向へ延びる断面円形の周壁１５と、周壁１５の上端縁１６に囲繞された円形の頂部開口１７とを有する。なお、ケース１１の形状を円筒型に限定するものではなく、角筒型に成型されていてもよい。
【００２９】
周壁１５は、所定の厚みを有し、上下方向へ長い円筒型を呈する。周壁１５は、台座１２の側に位置する下端部１８と、その反対側に位置する上端部２０と、上下端部１８，２０の間に位置する中間部１９とを有する。周壁１５の下端部１８と中間部１９との境界近傍には、ケース１１の径方向内方へ張り出す円形のフランジ２１が形成されている。フランジ２１は、脱臭カートリッジ１４の下端を支持する。フランジ２１の下方であって周壁１５の下端部１８には、周壁１５を貫通する複数個の円形の貫通孔２２が形成されている。それら貫通孔２２は、周壁１５の周り方向へ等間隔で並んでいる。
【００３０】
台座１２は、合成樹脂から作られ、末広がりの円筒型に成型されている。台座１２は、頂部２３と底部２５と頂底部２３，２５の間に延びる中間部２４とを有する。台座１２は、その頂部２３が連結手段（接着剤による接着、ビス止め等）（図示せず）を介してケース１１の下端部１８（下端縁）に連結され、その底部２５が脱臭装置１０Ａを載置するテーブルや机等の上面に当接する。台座１２の中間部２４における外周面には、周り方向へ延びる可撓性のフレキシブルソーラーパネル２６が固定手段（接着剤による接着、ビス止め等）（図示せず）を介して設置（固定）されている。
【００３１】
ソーラーパネル２６は、光エネルギーを電気に変換し、その電気を送風ファン１３に送る。台座１２の中間部２４における外周面には、ＯＮ／ＯＦＦスイッチ２７と回転数可変ダイヤル２８とが取り付けられている。ＯＮ／ＯＦＦスイッチ２７をＯＮにすることで、送風ファン１３が起動し、ＯＮ／ＯＦＦスイッチ２７をＯＦＦにすることで、送風ファン１３が停止する。
【００３２】
台座１２の内部には、送風ファン１３の回転数を可変する回転数可変回路（図示せず）が設置されている。回転数可変回路の一例としては、ＤＣモータの回転中に発生する起電力（BackEMF）を使ってフィードバックし、ＰＷＭ制御のデューティ比を変えて回転数一定制御を行う。なお、回転数可変のその他の手段として、直列に可変抵抗を設置する場合、オートトランスを設置する場合、サイリスタによるチョッパ回路を使用する場合等がある。
【００３３】
送風ファン１３の稼動中では、図１に矢印Ｌ１，Ｌ２で示すように、回転数可変ダイヤル２８を時計回り方向または反時計回り方向とのいずれかに回転させることで、回転数可変回路が作動し、ファン１３の回転数が変更される。たとえば、ダイヤル２８を矢印Ｌ１で示す時計回り方向へ回転させることで、ファン１３の回転数が上がり、ダイヤル２８を矢印Ｌ２で示す反時計回り方向へ回転させることで、ファン１３の回転数が下がる。なお、台座１２の外周面に設置されたフレキシブルソーラーパネル２６に代えて、電気を送風ファン１３（ＤＣモータ）に送る電池（図示せず）を利用することもできる。電池は、台座１２の内部に取り付けられた電池ボックス（図示せず）に着脱可能に設置される。
【００３４】
送風ファン１３は、ＤＣモータ２９と、モータ２９の軸に取り付けられたプロペラ３０とから形成されている。送風ファン１３のうちのＤＣモータ２９は、台座１２の頂部２３の中央に開口するモータ固定孔に嵌め込まれ、固定手段（接着剤による接着、ビス止め等）（図示せず）を介してモータ固定孔に固定されている。ＤＣモータ２９は、配線（図示せず）を介してＯＮ／ＯＦＦスイッチ２７や回転数可変ダイヤル２８、フレキシブルソーラーパネル２６（または電池）に接続されている。送風ファン１３のうちのプロペラ３０は、周壁１５の下端部１８の中央に配置されている。
【００３５】
脱臭カートリッジ１４は、臭気を吸着する炭から作られている。炭には、広葉樹から作られた中温炭、広葉樹から作られた高温炭、針葉樹から作られた中温炭（活性化炭素）、針葉樹から作られた高温炭（活性化炭素）、竹から作られた中低温炭のいずれかまたはそれらの混合物を使用することができる。炭は高い臭気吸着機能を有する。ゆえに、脱臭カートリッジ１４が高い臭気吸着機能を有する。
【００３６】
脱臭カートリッジ１４は、図４に示すように、正四角柱状に成型されている。なお、カートリッジ１４の立体形状を正四角柱状に限定するものではなく、カートリッジ１４が上下方向へ長い四角柱状に成型されていてもよく、また、上下方向へ長い円柱状に成型されていてもよい。脱臭カートリッジ１４は、空気が通流可能な上下方向へ延びる空気流路３１を有する複数の筒材３２が隣接する筒材集合物３３である。筒材３２の空気流路３１は、筒材集合物３３の下端３４から上端３５に向かって集合物３２を貫通している。
【００３７】
筒材集合物３３（脱臭カートリッジ１４）は、その縦寸法Ｍ１と横寸法Ｍ２とが３〜１０ｃｍの範囲、好ましくは、４〜８ｃｍの範囲にあり、その高さ寸法Ｍ３が３〜１５ｃｍの範囲、好ましくは、４〜８ｃｍの範囲にある。筒材集合物３３（脱臭カートリッジ１４）の上端３５の面積Ｓ１と下端３４の面積Ｓ２とは、９〜１００ｃｍ２の範囲、好ましくは、１６〜６４ｃｍ２の範囲にある。
【００３８】
縦横寸法Ｍ１，Ｍ２が３ｃｍ未満であって上端３５および下端３４の面積Ｓ１，Ｓ２が９ｃｍ２未満では、筒材集合物３３における空気流路３１の数が少なくなり、筒材集合物３３（カートリッジ１４）の脱臭性能が低下し、空気に含まれる臭気を筒材集合物３３に十分に吸着させることができない。高さ寸法Ｍ３が３ｃｍ未満では、筒材３２の内周面に対する空気の接触時間が短くなり、空気に含まれる臭気を筒材集合物３３に十分に吸着させることができない。筒材集合物３３（脱臭カートリッジ１４）は、縦横寸法Ｍ１，Ｍ２や高さ寸法Ｍ３が前記範囲にあるとともに、上端３５および下端３４の面積Ｓ１，Ｓ２が前記範囲にあるから、空気を多くの筒材３２の内周面に長い時間十分に接触されることができ、空気に含まれる臭気を筒材集合物３３に十分に吸着させることができるとともに、空気に含まれる臭気を確実に取り除くことができる。
【００３９】
筒材３２は、その断面形状が正六角形のハニカム形を呈する。筒材３２は、その空気流路３１の上下方向の長さが３〜１５ｃｍの範囲、好ましくは、４〜８ｃｍの範囲にある。なお、筒材集合物３３の１ｃｍ２当たりにおける筒材３２の空気流路３１の数は、３０〜５０の範囲、好ましくは、３５〜４０の範囲にある。筒材３２の空気流路３１の数が３０未満では、多くの筒材３２の空気流路３１に空気を通流させることができず、空気を多くの筒材３２の内周面に接触させることができないから、空気に含まれる臭気を筒材集合物３３に十分に吸着させることができない。筒材集合物３３の１ｃｍ２当たりにおける筒材３２の空気流路３１の数が前記範囲にあるから、空気を多くの筒材３２の内周面に接触されることができ、空気に含まれる臭気を筒材集合物３３に十分に吸着させることができるとともに、空気に含まれる臭気を確実に取り除くことができる。
【００４０】
この脱臭装置１０Ａの使用手順を説明すると、以下のとおりである。最初に収納ケース１１の内側に脱臭カートリッジ１４を収納する。脱臭カートリッジ１４を頂部開口１７からケース１１の内部に入れる。カートリッジ１４をケース１１内部に入れると、筒材集合物３３（カートリッジ１４）が送風ファン１３の直上に位置し、筒材集合物３３（カートリッジ１４）の下端３４がフランジ２１に当接し、筒材集合物３３（カートリッジ１４）がフランジ２１に支持される。
【００４１】
なお、収納ケース１１の上下方向の長さ寸法は、筒材集合物３３（脱臭カートリッジ１４）の高さ寸法Ｍ３よりも大きく、ケース１１の容積は、筒材集合物３３（カートリッジ１４）の全体を収容可能な大きさに調節されており、カートリッジ１４の全体がケース１１の内部に納まる。筒材集合物３３を形成するそれら筒材３２の空気流路３１はケース１１の下端部１８と上端部２０との間において上下方向へ延びる。空気流路３１の下端（筒材集合物３３の下端３４）はファン１３に対向し、空気流路３１の上端（筒材集合物３３の上端３５）は頂部開口１７の側に位置する。ケース１１の内側に脱臭カートリッジ１４を収納した後、脱臭装置１０Ａをテーブルや机等の上に置き、ＯＮ／ＯＦＦスイッチ２７をＯＮにする。
【００４２】
スイッチ２７をＯＮにすると、ソーラーパネル２６（または電池）からＤＣモータ２９に電気が送られ、ＤＣモータ２９の軸の回転によってプロペラ３０が回転する。プロペラ３０が回転すると、図１に矢印Ｎで示すように、ケース１１の下端部１８から上端部２０に向かって空気の流れが生じ、それら貫通孔２２からケース１１の内側に空気が流入し、その空気がそれら筒材３２の空気流路３１の下端（筒材集合物３３の下端３４）から空気流路３１に流入する。
【００４３】
空気流路３１に流入した空気は、流路３１を囲繞する筒材３２の内周面に接触することで、それに含まれる臭気が筒材集合物３３（脱臭カートリッジ１４）に吸着され、清浄化されつつ空気流路３１の上端（筒材集合物３３の上端３５）から筒材３２の外側に流出する。筒材３２から流出した清浄空気は、ケース１１の頂部開口１７からケース１１の外側に送気される。脱臭カートリッジ１４を所定期間使用した後は、そのカートリッジ１４をケース１１から取り出し、新しいカートリッジ１４をケース１１に収納する。
【００４４】
脱臭装置１０Ａでは、送風ファン１３（プロペラ３０）の回転速度が６０〜４８０ｒ／ｍｉｎの範囲にあり、筒材３２の空気流路３１を流れる空気の流速が０．０１〜０．１ｍ３／ｓｅｃの範囲にある。ファン１３の回転速度が４８０ｒ／ｍｉｎを超過し、筒材３２の空気流路３１を流れる空気の流速が０．１ｍ３／ｓｅｃを超過すると、空気が筒材３２の空気流路３１を短時間に通過してしまうから、筒材３２の内周面に対する空気の接触時間が短くなり、空気に含まれる臭気を筒材集合物３３に十分に吸着させることができない。脱臭装置１０Ａは、送風ファン１３の回転速度が前記範囲にあるとともに、筒材３２の空気流路３１を流れる空気の流速が前記範囲にあり、空気が筒材３２の空気流路３１をゆっくりと流れるから、筒材３２の内周面に対する空気の接触時間を長くすることができ、空気に含まれる臭気を筒材集合物３３に十分に吸着させることができる。
【００４５】
脱臭装置１０Ａは、送風ファン１３によって貫通孔２２からケース１１の内側に取り入れられた空気を筒材集合物３３（脱臭カートリッジ１４）の下端３４から上端３５に向かって上下方向へ延びるそれら筒材３２の空気流路３１に流入させ、炭から作られた筒材３２の空気流路３１に空気を通流させることで、空気を筒材３２の内周面に確実に接触させることができ、空気に含まれる臭気を筒材集合物３３に十分に吸着させることができる。脱臭装置１０Ａは、空気に含まれる臭気が筒材集合物３３によって確実に取り除かれ、清浄な空気を作ることができ、清浄な空気をケース１１の頂部開口１７から外側に送気することができる。脱臭装置１０Ａは、筒材集合物３３（脱臭カートリッジ１４）が送風ファン１３の直上に位置することで、貫通孔２２からケース１１の内側に取り入れられた空気を筒材集合物３３を形成するそれら筒材３２の空気流路３１全てに満遍なく通流させることができるから、筒材集合物３３（脱臭カートリッジ１４）の脱臭機能を最大限に利用することができ、装置１０Ａにおける脱臭効率を向上させることができる。
【００４６】
脱臭装置１０Ａは、筒材３２の空気流路３１の上下方向の長さが３〜１５ｃｍの範囲にあり、筒材３２の内周面に対する空気の接触時間を十分に確保することができるから、空気に含まれる臭気を筒材集合物３３に十分に吸着させることができ、空気に含まれる臭気を確実に取り除くことができる。また、筒材集合物３３の上端３５および下端３４の面積が９〜１００ｃｍ２の範囲にあり、筒材集合物３３の１ｃｍ２当たりにおける筒材３２の空気流路３１の数が３０〜４０の範囲にあるとともに、筒材３２が六角形に形成されており、炭から作られた多くの筒材３２の空気流路３１に空気を通流させることで、空気を多くの筒材３２の内周面に接触させることができるとともに、筒材３２の周面の面積を最大にすることができるから、空気に含まれる臭気を筒材集合物３３に十分に吸着させることができ、空気に含まれる臭気を確実に取り除くことができる。
【００４７】
図５は、他の一例として示す脱臭装置１０Ｂの斜視図であり、図６は、芳香シート３６を取り外した状態で示す図５の脱臭装置１０Ｂの上面図である。図７は、芳香シート３６を設置した状態で示す図５の脱臭装置１０Ｂの上面図である。図５では、上下方向を矢印Ａで示し、図６では、径方向を矢印Ｂで示し、周り方向を矢印Ｃで示す。この脱臭装置１０Ｂが図１のそれと異なるところは、芳香シート３６が挿脱可能に挿入される点にあり、その他の構成は図１の脱臭装置１０Ａのそれらと同一であるから、図１と同一の符号を付すとともに、図１の脱臭装置１０Ａの説明を援用することで、この脱臭装置１０Ｂにおけるその他の構成の詳細な説明は省略する。
【００４８】
脱臭装置は、ケース１１および台座１２と、送風ファン１３（ＤＣモータ付きプロペラファン）および脱臭カートリッジ１４と、芳香を放散する芳香シート３６とから形成されている。ケース１１は、上下方向へ延びる断面円形の周壁１５と、周壁１５の上端縁１６に囲繞された円形の頂部開口１７とを有する。周壁１５は、上下方向へ長い円筒型を呈し、上下端部１８，２０と中間部１９とを有する。
【００４９】
周壁１５の上端部２０には、ケース１１の周り方向へ開口するスリット３７が形成されているとともに、ケース１１の径方向内方へ張り出す円形の第１フランジ３８が形成されている。スリット３７は、周壁１５の円周長さの３／４まで形成されているが、周壁１１５の円周長さに対して少なくとも１／２以上形成されていればよい。第１フランジ３８は、スリット３７の直下に形成され、芳香シート３６の周縁部３９を支持する。スリット３７とフランジ３８とは、脱臭カートリッジ１４をケース１１に収納したときに、そのカートリッジ１４の上方に位置する。周壁１５の下端部１８と中間部１９との境界近傍には、脱臭カートリッジ１４の下端を支持する第２フランジ２１が形成されている。フランジ２１の下方であって周壁１５の下端部１８には、周壁１５を貫通する複数個の円形の貫通孔２２が形成されている。
【００５０】
台座１２は、合成樹脂から作られ、その頂部２３が連結手段（接着剤による接着、ビス止め等）（図示せず）を介してケース１１の下端部１８（下端縁）に連結されている。台座１２の中間部１９における外周面には、周り方向へ延びる可撓性のフレキシブルソーラーパネル２６が固定手段（接着剤による接着、ビス止め等）（図示せず）を介して設置されている。台座１２の中間部１９における外周面には、ＯＮ／ＯＦＦスイッチ２７と回転数可変ダイヤル２８とが取り付けられている。台座１２の内部には、送風ファン１３の回転数を可変する回転数可変回路（図示せず）が設置されている。なお、図１の脱臭装置１０Ａと同様に、台座１２の外周面に設置されたフレキシブルソーラーパネル２６に代えて、台座１２の内部に取り付けられた電池ボックス（図示せず）に着脱可能に設置される電池（図示せず）を利用することもできる。
【００５１】
送風ファン１３は、ＤＣモータ２９およびプロペラ３０から形成されている。ＤＣモータ２９は、配線（図示せず）を介してＯＮ／ＯＦＦスイッチ２７や回転数可変ダイヤル２８、フレキシブルソーラーパネル２６（または電池）に接続されている。プロペラ３０は、周壁１５の下端部１８の中央に配置されている。脱臭カートリッジ１４は、臭気を吸着する炭から作られている。脱臭カートリッジ１４は、正四角柱状に成型されている（図４援用）。脱臭カートリッジ１４は、空気流路３１を有する複数の筒材３２が隣接する筒材集合物３３である。筒材３２の空気流路３１は、筒材集合物３３の下端３４から上端３５に向かって集合物３２を貫通している。
【００５２】
筒材集合物３３（脱臭カートリッジ１４）は、その縦寸法Ｍ１と横寸法Ｍ２とが３〜１０ｃｍの範囲、好ましくは、４〜６ｃｍの範囲にあり、その高さ寸法Ｍ３が３〜１５ｃｍの範囲、好ましくは、４〜８ｃｍの範囲にある。筒材集合物３３（脱臭カートリッジ１４）の上端３５の面積Ｓ１と下端３４の面積Ｓ２とは、９〜１００ｃｍ２の範囲、好ましくは、１６〜６４ｃｍ２の範囲にある。筒材集合物３３（脱臭カートリッジ１４）は、縦横寸法Ｍ１，Ｍ２や高さ寸法Ｍ３が前記範囲にあるとともに、上端３５および下端３４の面積Ｓ１，Ｓ２が前記範囲にあるから、空気を多くの筒材３２の内周面に長い時間十分に接触されることができ、空気に含まれる臭気を筒材集合物３３に十分に吸着させることができるとともに、空気に含まれる臭気を確実に取り除くことができる。
【００５３】
筒材は、その断面形状が正六角形のハニカム形を呈する。筒材は、その空気流路の上下方向の長さが３〜１５ｃｍの範囲、好ましくは、４〜８ｃｍの範囲にある。筒材集合物の１ｃｍ２当たりにおける筒材の空気流路の数は、３０〜５０の範囲、好ましくは、３５〜４０の範囲にある。筒材集合物３３の１ｃｍ２当たりにおける筒材３２の空気流路３１の数が前記範囲にあるから、空気を多くの筒材３２の内周面に接触されることができ、空気に含まれる臭気を筒材集合物３３に十分に吸着させることができるとともに、空気に含まれる臭気を確実に取り除くことができる。
【００５４】
芳香シート３６は、通気性を有する不織布、または、通気性を有する織物や編み物、あるいは、開口が形成された紙から作られ、その平面形状が円形を呈する。なお、ケース１１が角筒型に成型された場合は、芳香シート３６の平面形状が四角形を呈する。芳香シート３６の周縁部３９には、径方向外方へ延出する摘み部４０が形成されている。芳香シート３６は、スリット３７からケース１１の内側に着脱可能に収納される。芳香シート３６は、脱臭装置１０Ｂにおいて所定時間使用された後（香りの放散がなくなった後）、新たなそれと交換される。芳香シート３６には、液体香料（エッセンシャルオイル）（香り成分）が滲み込んでいる。液体香料には、天然香料と合成香料とのうちの少なくとも一方を使用することができる。
【００５５】
液体香料としては、水溶性および油溶性のいずれであってもよい。それら香料には、モノテルペン炭化水素類、モノテルペンアルコール類、フェノール類、フェノールメチルエーテル類、セスキテルペン炭化水素類、セスキテルペンアルコール類、ケトン類、ラクトン類、カルボン酸類、ジテルペンアルコール類、アルデヒド類、エステル類、オキサイド（炭化物）類のうちのいずれか１つまたはそれらを所定の割合でブレンドした混合物を使用することができる。また、それら香料には、乳香やポプリオイル（ジャスミン、ベルガモット、ラベンダー、ローズ、ローズ・ド・メイ）を使用することもできる。
【００５６】
モノテルペン炭化水素類の主な芳香成分には、ピネン、リモネン、ミルセン、テルピネン、テルピノレン、δ−３−カレン、トリサイクレン、カンフェン、サビネン、オシメン、シメン、フエランドレン、パラシメン、ヒマカレン、カラレンがある。モノテルペンアルコール類の主な芳香成分には、シトロネロール、ゲラニオール、テルピネン−４−ｏｌ、ツヤノール−４、メントール、イソプレゴール、リナロール、テルピネオール、ネロール、ボルネオール、ネロリドールがある。フェノール類の主な芳香成分には、アネトール、カルバクロール、オイゲノール、チモール、パラクレゾール、カビコールがある。フェノールメチルエーテル類の主な芳香成分には、トランスアネトール、サフロール、チャビコール・メチルエーテル、パラクレゾール・メチルエーテル、イソオイゲノール・メチルエーテル、オイゲノール・メチルエーテルがある。
【００５７】
セスキテルペン炭化水素類の主な芳香成分には、αガイエン、カジネン、カマズレン、βカリオフィレン、ビサボレン、セリネン、βセスキフェランドレン、クルゼノン、セイチュレン、デハイドロアズリン、ゲルマクレンＤ、コバエン、セドレン、ファネッセン、ジンジベレン、ツヨブセン、リンデステレン、αパチュレン、ブルネッセンがある。セスキテルペンアルコール類の主な芳香成分には、セドロール、カジノール、サンタロール、グロブロール、ピリディフロロール、ネロリドール、パチュロール、レドール、キャトロール、エレモール、スパスレロールがある。
【００５８】
ケトン類の主な芳香成分には、カンファー、アセトフェノン、ジャスモン、ノートカトン、ビノカンフォン、ベルベノン、ピペリトン、メントン、フェンコン、カルボン、プレゴン、アトラントン、ピノカルボン、メチルイソブチルがある。ラクトン類の主な芳香成分には、クマリン、フロクマリン、ジャスミンラクトン、ジャスモン、ベルガプテンがある。カルボン酸類の主な芳香成分には、安息香酸、ケイ皮酸がある。ジテルペンアルコール類の主な芳香成分には、スクラレオール、フィトール、イソフィトールがある。
【００５９】
アルデヒド類の主な芳香成分には、シトラール、シトロネラール、ミルテナール、アセトアルデヒド、ペリルアルデヒド、ピペロナール、ワニリン、デカナール、ノナナール、ヘキサナール、ヘプタナールがある。エステル類の主な芳香成分には、酢酸テルピニル、酢酸リナリル、酢酸ネリル、酢酸オイゲノール、酢酸ゲラニル、アンゼリカ酸イソブチル、酢酸ボルニル、酢酸ミルテニル、安息香酸コンフィニル、安息香酸シンナミル、安息香酸メチル、安息香酸ベンジル、蟻酸ゲラニル、蟻酸シトロネリル、アンゼリカ酸メチル、酢酸ベンジルがある。オキサイド（炭化物）類の主な芳香成分には、カリオフィレンオキサイド、ビサボロールオキサイド、１，８シネオール、リナロールオキサイド、ローズオキサイドがある。
【００６０】
芳香シート３６には、粉末香料（香り成分）を収納することもできる。芳香シート３６に粉末香料を収納する場合、図示はしていないが、シート３６が二枚重ねの通気性を有する不織布、または、二枚重ねの通気性を有する織物や編み物から作られ、不織布や織物、編み物の間に粉末香料を収納可能な袋が形成されている。粉末香料には、ドライハーブ粉砕物、ヒノキ粉砕物、お茶の葉粉砕物、コーヒー豆粉砕物、お茶ガラ粉砕物、コーヒーガラ粉砕物等を使用することができる。
【００６１】
ドライハーブには、オリスルート、オレンジピール、カモマイル・ジャーマン、クローブ、月桂樹、エキナセア、スペアミント、タイム、ハイビスカス、矢車草、ラベンダー、リンデン、レモングラス、レモンバーベナ、レモンバーム、レモンピール、ローズヒップ、ミニローズ・ピンク、ローズマリー、ヒソップ、ペパーミント、マージョラム、マロウ・ブルー、ローズ・バッズピンク、ローズ・ピンク、ローズ・レッド、タラゴン、ダンデリオン、サンダルウッド、シナモンスティック、ジュニパーベリー、トンカビーンズ、ペニーロイヤル、マリーゴールド、むぎわら菊、ユーカリのうちのいずれかから作られている。ドライハーブは、それらから作られたいずれか１つまたはそれらから作られた２種類以上を所定の割合でブレンドしたものを使用することができる。なお、粉末香料には、現在市販されているあらゆる香料を使用することができる。
【００６２】
この脱臭装置１０Ｂの使用手順を説明すると、以下のとおりである。図１の装置１０Ａと同様に、最初に収納ケース１１の内側に脱臭カートリッジ１４を収納する。脱臭カートリッジ１４を頂部開口１７からケース１１の内部に入れる。カートリッジ１４をケース１１内部に入れると、筒材集合物３３（カートリッジ１４）がファンの直上に位置し、筒材集合物３３（カートリッジ１４）の下端３４が第２フランジ２１に当接し、筒材集合物３３（カートリッジ１４）がフランジ２１に支持される。筒材集合物３３を形成するそれら筒材３２の空気流路３１はケース１１の下端部１８と上端部２０との間において上下方向へ延びる。
【００６３】
なお、図１の脱臭装置１０Ａと同様に、収納ケース１１の上下方向の長さ寸法は、筒材集合物３３（脱臭カートリッジ１４）の高さ寸法Ｍ３よりも大きく、ケース１１の容積は、筒材集合物３３（カートリッジ１４）の全体を収容可能な大きさに調節されている。
【００６４】
次に、芳香シート３６の摘み部４０を持ちながら、シート３６をスリット３７から収納ケース１１の内部に挿入する。芳香シート３６をケース１１内部に挿入すると、シート３６の周縁部３９が第１フランジ３８に支持され、シート３６が筒材集合物３３（脱臭カートリッジ１４）の上方に位置する。筒材３２の空気流路３１の下端（筒材集合物３３の下端３４）はファン１３に対向し、空気流路３１の上端（筒材集合物３３の上端３５）は芳香シート３６に対向する。ケース１１の内側に脱臭カートリッジ１４を収納するとともに、芳香シート３６を挿入した後、脱臭装置１０Ｂをテーブルや机等の上に置き、ＯＮ／ＯＦＦスイッチ２７をＯＮにする。
【００６５】
スイッチ２７をＯＮにすると、ソーラーパネル２６（または電池）からＤＣモータ２９に電気が送られ、ＤＣモータ２９の軸の回転によってプロペラ３０が回転する。プロペラ３０が回転すると、図５に矢印Ｎで示すように、ケース１１の下端部１８から上端部２０に向かって空気の流れが生じ、それら貫通孔２２からケース１１の内側に空気が流入し、その空気がそれら筒材３２の空気流路３１の下端（筒材集合物３３の下端３４）から空気流路３１に流入する。
【００６６】
空気流路３１に流入した空気は、流路３１を囲繞する筒材３２の内周面に接触することで、それに含まれる臭気が筒材集合物３３（脱臭カートリッジ１４）に吸着され、清浄化されつつ空気流路３１の上端（筒材集合物３３の上端３５）から筒材３２の外側に流出する。筒材３２から流出した清浄空気は、芳香シート３６を通過し、シート３６から放散された香り成分が清浄空気に混入し、清浄かつ芳香空気がケース１１の頂部開口１７からケース１１の外側に送気される。
【００６７】
脱臭カートリッジ１４を所定期間使用した後は、そのカートリッジ１４をケース１１から取り出し、新しいカートリッジ１４をケース１１に収納する。また、芳香シート３６を所定期間使用した後は、そのシート３６をケース１１から抜き取り、新しい芳香シート３６をケース１１に挿入する。
【００６８】
脱臭装置１０Ｂでは、送風ファン１３（プロペラ３９）の回転速度が６０〜４８０ｒ／ｍｉｎの範囲にあり、筒材３２の空気流路３１を流れる空気の流速が０．０１〜０．１ｍ３／ｓｅｃの範囲にある。脱臭装置１０Ｂは、送風ファン１３の回転速度が前記範囲にあるとともに、筒材３２の空気流路３１を流れる空気の流速が前記範囲にあり、空気が筒材３２の空気流路３１をゆっくりと流れるから、筒材３２の内周面に対する空気の接触時間を長くすることができ、空気に含まれる臭気を筒材集合物３３に十分に吸着させることができる。
【００６９】
この脱臭装置１０Ｂは、図１の脱臭装置１０Ａが有する効果に加え、以下の効果を有する。脱臭装置１０Ｂは、筒材集合物３３（脱臭カートリッジ１４）によって清浄された空気に芳香シート３６によって芳香が付与されるから、空気に含まれる臭気を除去しつつ、よい香りの空気を収納ケース１１の頂部開口１７から外側に送気することができる。脱臭装置１０Ｂは、清浄された空気が芳香として送気されるから、芳香療法に利用することができる。
【００７０】
図１や図５の脱臭装置１０Ａ，１０Ｂでは、送風ファン１３の回転数を可変する回転数可変回路が台座１２の内部に設置され、回転数可変ダイヤル２８が台座１２の外周面に取り付けられているが、回転数可変回路や回転数可変ダイヤル２８を省くこともできる。この場合、送風ファン１３（プロペラ３９）の回転速度が６０〜４８０ｒ／ｍｉｎの範囲で事前に設定され、ファン１３が設定の回転速度で回転する。
【符号の説明】
【００７１】
１０Ａ  脱臭装置
１０Ｂ  脱臭装置
１１    収納ケース
１２    台座
１３    送風ファン
１４    脱臭カートリッジ
１５    周壁
１７    頂部開口
１８    下端部
１９    中間部
２０    上端部
２１    フランジ（第２フランジ）
２２    貫通孔
２６    フレキシブルソーラーパネル
３１    空気流路
３２    筒材
３３    筒材集合物
３４    下端
３５    上端
３６    芳香シート
３７    スリット
３８    第１フランジ
【図１】
2012055532.tif 000003
【図２】
2012055532.tif 000004
【図３】
2012055532.tif 000005
【図４】
2012055532.tif 000006
【図５】
2012055532.tif 000007
【図６】
2012055532.tif 000008
【図７】
2012055532.tif 000009